(57)【要約】      （修正有）【課題】一度４隅を押さえると紙箱が部分的に連結して形状を維持し、一人でも箱を組み立てながら内容物を収納可能な観音開きの紙箱を得ると共に、無駄な空間がないこと。【解決手段】矩形の底板１の４辺から相互に内折込片３で連結された４枚の側板２が折り立てられ、対向する一対の側板の上縁には狭幅のフラップ４、他の一対の側板の上縁には合計幅がフラップと連結する側板の上縁幅と等しい一対の蓋板５がそれぞれ連結され、各蓋板の先端部中央には下折込片６がそれぞれ連接され、下折込片は各フラップに形成されたスリット４１に挿入されて蓋板を閉鎖係止すると共に、各フラップの側縁の先端に係合突片４２が突出形成され、この係合突片は隣接する側板と蓋板との間の稜部に穿設された係合切込線５２に挿入され、各側板を筒状起立状態に維持するように構成されたことを特徴とした観音開き紙箱。【選択図】図１
2015178370.tif 000002
【特許請求の範囲】
【請求項１】
矩形の底板の４辺から相互に内折込片で連結された４枚の側板が折り立てられ、
対向する一対の側板の上縁には狭幅のフラップ、他の一対の側板の上縁には合計幅がフラップと連結する側板の上縁幅と等しい一対の蓋板がそれぞれ連結され、
各蓋板の先端部中央には下折込片がそれぞれ連接され、
下折込片は各フラップに形成されたスリットに挿入されて蓋板を閉鎖係止すると共に、
各フラップの側縁の先端に係合突片が突出形成され、
この係合突片は隣接する側板と蓋板との間の稜部に穿設された係合切込線に挿入され、
各側板を筒状起立状態に維持するように構成されたことを特徴とした観音開き紙箱。
【請求項２】
少なくとも２枚の側板が矩形で構成されたことを特徴とした請求項１に記載の観音開き紙箱。
【請求項３】
２枚のフラップと連結する側板が矩形で構成されていることを特徴とした請求項２に記載の観音開き紙箱。
【請求項４】
係合突片の先端が、差込み方向に対して傾斜又は円弧を有することを特徴とした請求項１〜３のいずれかに記載の観音開き紙箱。
【請求項５】
係合突片が係合時に蓋板が連結した側板に対し横向きであることを特徴とした請求項１〜４のいずれかに記載の観音開き紙箱。
【請求項６】
係合突片根元に切込又は切り欠きを設けたことを特徴とした請求項１〜５のいずれかに記載の観音開き紙箱。
【請求項７】
係合突片脇に内折込片を抑える押さえ突起を設けたことを特徴とした請求項１〜６のいずれかに記載の観音開き紙箱。
【請求項８】
内折込片を隣接する側板の係合切込線高さよりも低く設けたことを特徴とした請求項１〜７のいずれかに記載の観音開き紙箱。
【請求項９】
係合切込線を側板と蓋板が連結する折り曲げ線を跨いで設けたことを特徴とした請求項１〜８のいずれかに記載の観音開き紙箱。
【発明の詳細な説明】
【技術分野】
【０００１】
本発明は、空箱時には平らであるが、使用時には内容物を挿入し、周囲の側板を立ち上げるだけで４側板が係合し、容易に組み立てられる観音開きの紙箱に関する。
【背景技術】
【０００２】
方形の底板を有する紙箱としては、例えば、特許文献１で示すように、対向する二辺の側板に折返し内側板を設けて二重壁にすると共に、この二重壁に縦方向の切込みを設け、蓋板に連成した差込み片をその切り込みに差し込んで組み立てるようにした箱が知られている。
しかし、この箱は二重壁部分の各折目を逐一折り曲げて組み立てなければならない面倒さがあると共に、差し込み片を切込みに差し込むまでは折り曲げ部分を押さえておかなければならず、組立てに時間がかかり能率的でない。また、３方に補強壁を設けているので、実質的な容量が減少し、効率の悪い紙箱になっている。
【０００３】
以上に対し、例えば、特許文献２では、
底面と、この底面の４辺につらなる４つの側面と、これらの側面にそれぞれつらなる２つの下蓋および２つの上蓋と、この上蓋にそれぞれつらなる突片とを備え、
前記下蓋の先端中央部に切欠を設け、前記下蓋の切欠に前記突片を差込んでこの突片を環状蛍光灯の環内部に挿入することにより前記環状蛍光灯の中央部を前記突片で支持するように構成した環状蛍光灯の包装容器を提案している。
【０００４】
しかしながら、この包装容器も、紙箱を組み立てる時、下蓋の先端中央部に設けた切欠に、上蓋につらなる突片が係合するまで、ずっと包装容器が開かないように、押さえながら作業をする必要があった。
その為、内容物としての環状蛍光灯を包装容器内に入れるのに、４隅を押さえる必要があり、一人では梱包しにくいといった問題があった。
【先行技術文献】
【特許文献】
【０００５】
【特許文献１】実公昭４１−２５３４８号公報
【特許文献２】実開昭５２−１２５５３０号公報
【発明の概要】
【発明が解決しようとする課題】
【０００６】
そこで、一度４隅を押さえると紙箱が部分的に連結して形状を維持し、一人でも箱を組み立てながら内容物を収納可能な観音開きの紙箱を得ると共に、無駄な空間がない容器を得ることが、本発明の課題である。
【課題を解決するための手段】
【０００７】
本発明の請求項１に係る発明は、矩形の底板の４辺から相互に内折込片で連結された４枚の側板が折り立てられ、
対向する一対の側板の上縁には狭幅のフラップ、他の一対の側板の上縁には合計幅がフラップと連結する側板の上縁幅と等しい一対の蓋板がそれぞれ連結され、
各蓋板の先端部中央には下折込片がそれぞれ連接され、
下折込片は各フラップに形成されたスリットに挿入されて蓋板を閉鎖係止すると共に、
各フラップの側縁の先端に係合突片が突出形成され、
この係合突片は隣接する側板と蓋板との間の稜部に穿設された係合切込線に挿入され、
各側板を筒状起立状態に維持するように構成されたことを特徴とした観音開き紙箱である。
【０００８】
本発明の請求項２に係る発明は、少なくとも２枚の側板が矩形で構成されたことを特徴とした請求項１に記載の観音開き紙箱である。
【０００９】
本発明の請求項３に係る発明は、２枚のフラップと連結する側板が矩形で構成されていることを特徴とした請求項２に記載の観音開き紙箱である。
【００１０】
本発明の請求項４に係る発明は、係合突片の先端が、差込み方向に対して傾斜又は円弧を有することを特徴とした請求項１〜３のいずれかに記載の観音開き紙箱である。
【００１１】
本発明の請求項５に係る発明は、係合突片が係合時に蓋板が連結した側板に対し横向きであることを特徴とした請求項１〜４のいずれかに記載の観音開き紙箱である。
【００１２】
本発明の請求項６に係る発明は、係合突片根元に切込又は切り欠きを設けたことを特徴とした請求項１〜５のいずれかに記載の観音開き紙箱である。
【００１３】
本発明の請求項７に係る発明は、係合突片脇に内折込片を抑える押さえ突起を設けたことを特徴とした請求項１〜６のいずれかに記載の観音開き紙箱である。
【００１４】
本発明の請求項８に係る発明は、内折込片を隣接する側板の係合切込線高さよりも低く設けたことを特徴とした請求項１〜７のいずれかに記載の観音開き紙箱である。
【００１５】
本発明の請求項９に係る発明は、係合切込線を側板と蓋板が連結する折り曲げ線を跨いで設けたことを特徴とした請求項１〜８のいずれかに記載の観音開き紙箱である。
【発明の効果】
【００１６】
本発明の観音開き紙箱は、単に紙箱を組むだけで、自然に係合突片が係合切込線に差込まれる仕組みになっているので、側板を固定する貼りが不要であるにもかかわらず、紙箱の形態を強固に維持することが可能になる。
この為、紙箱の組み立てから、内容物の収納などを一人で対応できるばかりか、不具合がなく組み立てられるので、高速で紙箱に収納することができる。
【図面の簡単な説明】
【００１７】
【図１】本発明の観音開き紙箱の一例で、その展開図である。
【図２】本発明の観音開き紙箱の一例で、一部組み立て始めた状態を表す外観図である。
【図３】本発明の観音開き紙箱の一例で、フラップに形成されたスリットに片方の蓋の下折込片を挿入し、片側の蓋を閉めた状態を表す外観図である。
【図４】本発明の観音開き紙箱の一例で、フラップに形成されたスリットに、左右２つの蓋の下折込片を挿入し、両方の蓋を閉めた状態を表す外観図である。
【図５】本発明の観音開き紙箱の例で、係合突片が係合切込線に挿入する工程を示す図である。
【図６】本発明の観音開き紙箱の例で、係合突片の形状例を示す部分拡大図である。
【図７】本発明の観音開き紙箱における他の例で、押さえ突起を係合突片近傍に設けた例の展開図とその部分拡大図である。
【図８】本発明の観音開き紙箱における図7で示した例で、押さえ突起を係合突片近傍に設けた組立て図と、押さえ突起が内折込片を押さえる状況を示す斜視図である。
【図９】本発明の観音開き紙箱において、向かい合う側板が矩形の例で、その展開図と空箱を折り畳んだ斜視図である。
【発明を実施するための形態】
【００１８】
以下、本発明の観音開き紙箱の実施の形態例について、図を用いて詳細に説明する。
実施形態例に使用される観音開き紙箱の展開図を図１に示した。
底板１は矩形で、その周囲４辺からそれぞれに側板２が繋がっている。隣り合う側板２と側板２は相互に内折込片３で連結されている。
この実施例では側板２もすべて矩形で構成されている。
向かい合う一組の側板上縁には、狭幅のフラップ４が繋がり、その外側中央にはスリット４１が形成されている。また、狭幅のフラップ４の側縁の先端には係合突片４２が設けられている。
他方の向かい合う一組の側板上縁には、合計幅がフラップと連結する側板の上縁幅２１と等しい一対の蓋板５が連結され、さらに各蓋板５の先端中央には下折込片６が連接されている。側板２が矩形の場合、一対の蓋板５の合計幅は、底板１の幅とも等しくなっている。
この為、この紙箱は空箱時には平らに折り畳まれ、使用時には向かい合う側板２を起立させるだけで、他方の二辺の側板２が起立して、容易に組み立てられると共に、無駄なスペースがなく、しかも充分に強度のある紙箱を得ることができる。
また、側板と蓋板との間の稜部７に、係合切込線５２が穿設し、その係合切込線５２が側板２と蓋板５が連結する稜部７１を跨いで設けているので、組み立てた時に係合切込線５２部分が稜部７１を折り曲げることで開孔し、その為、自然に係合突片４２が挿入できるようになっている。
蓋板５には、開口しやすくするために、庇５３を設けても良い。
【００１９】
図２は内容物を収納する手順の始めのステップを示している。
まず、内折込片３が内側に入るように注意して、底板１の周囲に設けられた側板２を起こす。この時、内容物を挿入しながら、折込まれる内折込片３を、フラップ４に連結する側板側、又は蓋に繋がった側板側に寄せながら、フラップ４を被せるように側板２を起こしていく。蓋板５を内側に寄せると、側板２と蓋板５との間の稜部７１に跨いで穿設された係合切込線５２部分が係合突片４２の係合する向きに開く。その為、側板２を立ち上げると、自然にスラップ４先端の係合突片４２が係合切込線５２に突き刺し、係合することができる。
そのようにして、側板２は立ち上がった状態で固定できる。
【００２０】
図３は、一方の蓋板５における下折込片６を、スリット４１に差し込んで、蓋を閉めた状態を示している。
スリット４１は、二枚の下折込片６を収納できる幅を持たせている。
【００２１】
図４は、他方の蓋５の下折込片６も加え、二枚の下折込片６をスリットに差し込み、２枚の蓋板５が閉じた状態を示している。
左右の蓋板５と側板２との境には、係合切込線５２が側板２と蓋板５が連結する稜部７１を跨いで穿設されているので、係合切込線５２が形成する孔が開口し、係合突片４２先端が側板２外面から飛び出し、側板上端に係合している。
このように、係合突片４２が蓋板５と連結している側板２に対し、横向きになっているので、その時の側板２に対する蓋板５の角度に関わらず、係合突片４２が係合切込線５２を形成する孔に無理なく差し込まれる。その為、係合突片４２が係合切込線５２を形成する孔に差し込まれないといった不具合は生じず、確実に係合突片４２は側板２に係合する。蓋板５と蓋板５の合わせた外側にテープ８で固定すると蓋が持ち上がりにくくなり、搬送性が向上する。
【００２２】
図５は、係合突片４２が係合切込線５２によって形成される孔に差し込まれる状態を示
した。
図５−１は本発明の一例で、図５−２はそのＡ部を拡大した図である。係合突片４２は、先端が傾斜、又は円弧を有している。さらに、係合切込線５２は側板２と蓋板５が連結する折り曲げ線を跨いで設けている。
図５−３で示すように、蓋板５と側板２とが連結する稜部７１で折り曲げられて少しでも角度がつくと、係合切込線５２で形成される孔５２０がしっかり開口する。その為、係合突片４２が係合切込線５２で形成される孔５２０に挿入しやすくなる。
図５−４のように、側板２を立ち上げると、係合突片４２先端は係合切込線５２で形成される孔５２０に挿入される。
【００２３】
図６−１は、係合突片４２の根元側に切り欠き４４を設けた例である。
切り欠きがあると、係合突片４２が係合切込線５２によって形成される孔５２０に一旦差し込まれると、係合突片４２が側板２の先端が孔５２０から抜けにくいので、下折込片６を挿入するなどの作業がし易くなる。
同じように、図６−２は、係合突片４２の根元側に切込４５を設けた例で、切り欠きと同様の効果がある。
【００２４】
図７は、側板２が台形の形状をした実施例で、図７−１はその展開図、図７−２は押さえ突起４３近傍の部分拡大図である。
図７−１で示す展開図の容器は本実施例の一般的な紙箱の例である。
図７−１で示すような側板２が台形の場合、底板１と側板２との間の折り曲げ線７は直線にならないので、そこで全体に折り畳むことはできない。その為に、側板２と蓋板５の境の折り曲げ線でしか折り畳められない。しかし、４隅に余裕ができるので、内折込片３が収納しやすく、内容物を無理なく収納ができるメリットがある。
【００２５】
また、この実施例では庇５３を２枚の蓋板５それぞれに設けた。庇５３があると、蓋板５をこじ開けなくても開けやすくなる。一方を開けられれば、他方はその後で、下折込片６を上げることで、容易に開けられるようになるので、一方だけ庇５３をつけているだけでもかまわない。
下折込片６同士が押し合うので、通常はそのまま閉まっていられるが、衝撃で下折込片６が上がって開いてしまうなど、とっさの事故を防ぐには、下折込片６の両端を少し幅広くして、スリット４１との引っ掛かりを付けると良い。
図７−２は、図７−１のＢで示す部分の拡大図で、組立て時に内折込片３を押さえて、一方へ寄せる役目をする押さえ突起４３の例である。
【００２６】
図８は、側板２が台形の形状をした実施例で、図８−１は組み立てた状態を示した。
図８−２は、図８−１のＣで示す隅の部分において、紙箱を組む状況を分かり易く示す拡大図で示した図である。
内側に折込まれた内折込片３は、紙箱内部に角から伸びた状態にあって、角の９０度範囲で規制されていない。その為、内容物を収納するに邪魔な位置になってしまう場合が多い。
そこで、係合突片４２の根元近傍のフラップから９０度近くに折り曲げられた押さえ突起４３を設けた例で、押さえ突起４３の曲げ方向に対して直角方向で押さえつけるようにしている。
その為、内折込片３はフラップと繋がった側板２の内面側に寄って、内容物を収納しやすくしている。
特に、内容物が軟らかいものであると、内折込片３を内容物によって押して、どちらかの側板２内面に押し付けると、内容物が傷んでしまう恐れがある。また、保存中に内折込片３が内容物に当たって変形させる恐れもある。その為、このような押さえ突起４３を設けておくことが好ましい。
【００２７】
図９は向かい合った側板２を矩形にした実施例である。この場合、底板１と矩形の側板２と繋がる折り曲げ線７が一直線になるので、その折線で折り畳めば、非常に小さく平らに折り畳める。小さく畳めれば、空箱で搬送する場合、容量が小さくなって、便利である。
さらに、その向かい合って矩形にする側板２が、図９−１のようにフラップを有する側板２が矩形であれば、蓋板５と連接する側板２と底板１との境の折り曲げ線７で折り畳めるので、図９−２のように、より小さく折り畳めるメリットがある。
【００２８】
本発明の紙箱を形作る紙のシートは、融着などはしないので、一定の腰があれば、特に問題はない。もちろん、内容物を保護する為に、内面にポリエチレン層やコート層などが、設けられていれば、より好ましい。
紙は、容器容量や内容物の重量によって厚みを調整し、紙容器容量が大きいほど、内容物が重いほど厚くする。通常、紙の厚みである坪量は、２００ｇ／ｍ２から８００ｇ／ｍ２の範囲で使用可能である。また、紙の密度を０．６〜１．１ｇ／ｃｍ３の範囲にする。
また、本発明の紙箱は、ロータリー金型やトムソン木型などを使用したプレス機によって、外形や係合切り込み線などの抜きと、折込み部分に罫線を付けて製造する。
【００２９】
本発明の紙箱は、以上の様なもので、糊などを使用せず、単に折り曲げと係合だけで紙箱を組み立てられると共に、側板２を立ち上げ、内容物を収納し、フラップ４を倒すだけで、一人でも容易に、迅速に紙箱が組み立てられる。特に、自然に係合突片４２が係合切込線５２に差込まれる仕組みになっているので、側板を固定する貼りが不要であるにもかかわらず、紙箱の形態を強固に維持することが可能になるなど、メリットが大きい。
【符号の説明】
【００３０】
１・・・・・・・・・底板
２・・・・・・・・・側板
２１・・・・・・・・側板幅
３・・・・・・・・・内折込片
４・・・・・・・・・フラップ
４１・・・・・・・・スリット
４２・・・・・・・・係合突片
４３・・・・・・・・押さえ突起
４４・・・・・・・・切り欠き
４５・・・・・・・・切込
５・・・・・・・・・蓋板
５１・・・・・・・・蓋幅
５２・・・・・・・・係合切込線
５２０・・・・・・・孔
５３・・・・・・・・庇
６・・・・・・・・・下折込片
７・・・・・・・・・折り曲げ線
７１・・・・・・・・稜部（側板と蓋板が連結する折り曲げ線）
８・・・・・・・・・テープ
【図１】
2015178370.tif 000003
【図２】
2015178370.tif 000004
【図３】
2015178370.tif 000005
【図４】
2015178370.tif 000006
【図５】
2015178370.tif 000007
【図６】
2015178370.tif 000008
【図７】
2015178370.tif 000009
【図８】
2015178370.tif 000010
【図９】
2015178370.tif 000011